(57)【要約】【課題】内視鏡の各管路を洗滌するため自動的に挿入される洗滌ブラシのブラシ部のみを容易かつ安価に交換できる構成を有する内視鏡洗滌消毒装置を提供する【解決手段】処置具挿通管路４３の口金２４ａに着脱自在な、流路３３ｒを有するノズル３３と、流路３３ｒに連通自在な収容室６１に、ブラシ部１０１が収容自在なブラシチップカートリッジ６０と、収容室６１に連通自在な収容室７０ｓに、シャフト１０２が収容自在なシャフト収容ユニット７０と、シャフト１０２を収容室７０ｓから送り出すとともに収容室７０ｓに引き戻すローラ７２、モータ７３と、を具備する洗滌ブラシユニット８５を有し、ローラ７２、モータ７３は、収容室６１において、送り出したシャフト１０２の係合部１０２ｋを、ブラシ部１０１の係合部１０１ｋに係止させ、引き戻したシャフト１０２の係合部１０２ｋを、係合部１０１ｋから離脱させることを特徴とする。【選択図】図４
2007275437.tif 000002
【特許請求の範囲】
【請求項１】
細長のシャフト及び該シャフトの先端に設けられたブラシ部を、装置本体の洗滌消毒槽に収容された内視鏡の管路に自動的に挿抜して前記管路を洗滌する内視鏡洗滌消毒装置であって、
前記内視鏡の前記管路の接続口に着脱自在な、流路を有する管路接続ノズルと、
前記流路に連通自在なブラシ部収容室を有するとともに、前記ブラシ部収容室に、前記ブラシ部が収容自在なブラシ部収容ユニットと、
前記ブラシ部収容室に連通自在なシャフト収容室を有するとともに、前記シャフト収容室に、前記シャフトが収容自在なシャフト収容ユニットと、
前記シャフトを前記シャフト収容室から前記内視鏡の前記管路に送り出すとともに、前記シャフトを前記内視鏡の前記管路から前記シャフト収容室に引き戻すシャフト送り戻し機構と、
を具備する前記装置本体に設けられた洗滌ブラシユニットを有し、
前記シャフト送り戻し機構は、前記ブラシ部収容室において、送り出した前記シャフトの前記先端に設けられたシャフト係合部を、前記ブラシ部に設けられたブラシ部係合部に係止させるとともに、引き戻した前記シャフトの前記シャフト係合部を、前記ブラシ部係合部から離脱させることを特徴とする内視鏡洗滌消毒装置。
【請求項２】
前記ブラシ部収容室は、連通する少なくとも前記シャフト収容室側に、連通口が形成された室内方向に突出する内向フランジ部を有し、
前記ブラシ部は、前記離脱の際、前記内向フランジ部に対し当接し、前記ブラシ部が前記ブラシ部収容室から前記連通口を介して前記シャフト収容室側へ飛び出すのを防止する、前記連通口に対し平面的に幅広なストッパ部材を有していることを特徴とする請求項１に記載の内視鏡洗滌消毒装置。
【請求項３】
前記ブラシ部収容ユニットは、前記管路接続ノズルの中途位置に対し、回動自在に配設されており、
前記洗滌ブラシユニットは、前記ブラシ部収容ユニットを回動させる回動制御ユニットをさらに有していることを特徴とする請求項１または２に記載の内視鏡洗滌消毒装置。
【請求項４】
前記ブラシ部収容ユニットは、複数の前記ブラシ部収容室を有するとともに、複数の前記ブラシ部収容室に、前記ブラシ部がそれぞれ収容自在であり、
複数の前記ブラシ部収容室の内、いずれか１つの前記ブラシ部収容室が、前記回動制御ユニットによる前記ブラシ部収容ユニットの回動により、前記管路接続ノズルの前記流路及び前記シャフト収容室に連通することを特徴とする請求項３に記載の内視鏡洗滌消毒装置。
【請求項５】
前記ブラシ部係合部と前記シャフト係合部との係止後、前記ブラシ部収容室から前記内視鏡の前記管路に送り出された前記ブラシ部は、前記ブラシ部収容室に引き戻し後、送り出し前と同じ前記ブラシ部収容室に収容されることを特徴とする請求項４に記載の内視鏡洗滌消毒装置。
【請求項６】
前記回動制御ユニットは、前記ブラシ部収容室に、前記ブラシ部が収容された後、前記ブラシ部収容ユニットを回動させることにより、前記ブラシ部が収容された前記ブラシ部収容室に平面的に隣り合う前記ブラシ部収容室を、前記管路接続ノズルの前記流路及び前記シャフト収容室に連通させることを特徴とする請求項５に記載の内視鏡洗滌消毒装置。
【請求項７】
前記シャフト収容ユニットは、前記管路接続ノズルに対し、着脱自在に接続されていることを特徴とする請求項１〜６のいずれか１項に記載の内視鏡洗滌消毒装置。
【請求項８】
前記洗滌ブラシユニットは、前記装置本体に対し、着脱自在であることを特徴とする請求項１〜７のいずれか１項に記載の内視鏡洗滌消毒装置。
【請求項９】
細長のシャフト及び該シャフトの先端に設けられたブラシ部を、装置本体の洗滌消毒槽に収容された内視鏡の管路に自動的に挿抜して前記管路を洗滌する洗滌ブラシユニットであって、
前記内視鏡の前記管路の接続口に着脱自在な、流路を有する管路接続ノズルと、
前記流路に連通自在なブラシ部収容室を有するとともに、前記ブラシ部収容室に、前記ブラシ部が収容自在なブラシ部収容ユニットと、
前記ブラシ部収容室に連通自在なシャフト収容室を有するとともに、前記シャフト収容室に、前記シャフトが収容自在なシャフト収容ユニットと、
前記シャフトを前記シャフト収容室から前記内視鏡の前記管路に送り出すとともに、前記シャフトを前記内視鏡の前記管路から前記シャフト収容室に引き戻すシャフト送り戻し機構と、
を具備し、
前記シャフト送り戻し機構は、前記ブラシ部収容室において、送り出した前記シャフトの前記先端に設けられたシャフト係合部を、前記ブラシ部に設けられたブラシ部係合部に係止させるとともに、引き戻した前記シャフトの前記シャフト係合部を、前記ブラシ部係合部から離脱させることを特徴とする洗滌ブラシユニット。
【請求項１０】
前記ブラシ部収容室は、連通する少なくとも前記シャフト収容室側に、連通口が形成された室内方向に突出する内向フランジ部を有し、
前記ブラシ部は、前記離脱の際、前記内向フランジ部に対し当接し、前記ブラシ部が前記ブラシ部収容室から前記連通口を介して前記シャフト収容室側へ飛び出すのを防止する、前記連通口に対し平面的に幅広なストッパ部材を有していることを特徴とする請求項９に記載の洗滌ブラシユニット。
【請求項１１】
前記ブラシ部収容ユニットは、前記管路接続ノズルの中途位置に対し、回動自在に配設されており、
前記ブラシユニット本体部は、前記ブラシ部収容ユニットを回動させる回動制御ユニットをさらに有していることを特徴とする請求項９または１０に記載の洗滌ブラシユニット。
【請求項１２】
前記ブラシ部収容ユニットは、複数の前記ブラシ部収容室を有するとともに、複数の前記ブラシ部収容室に、前記ブラシ部がそれぞれ収容自在であり、
複数の前記ブラシ部収容室の内、いずれか１つの前記ブラシ部収容室が、前記回動制御ユニットによる前記ブラシ部収容ユニットの回動により、前記管路接続ノズルの前記流路及び前記シャフト収容室に連通することを特徴とする請求項１１に記載の洗滌ブラシユニット。
【請求項１３】
前記ブラシ部係合部と前記シャフト係合部との係止後、前記ブラシ部収容室から前記内視鏡の前記管路に送り出された前記ブラシ部は、前記ブラシ部収容室に引き戻し後、送り出し前と同じ前記ブラシ部収容室に収容されることを特徴とする請求項１２に記載の洗滌ブラシユニット。
【請求項１４】
前記回動制御ユニットは、前記ブラシ部収容室に、前記ブラシ部が収容された後、前記ブラシ部収容ユニットを回動させることにより、前記ブラシ部が収容された前記ブラシ部収容室に平面的に隣り合う前記ブラシ部収容室を、前記管路接続ノズルの前記流路及び前記シャフト収容室に連通させることを特徴とする請求項１３に記載の洗滌ブラシユニット。
【請求項１５】
前記シャフト収容ユニットは、前記管路接続ノズルに対し、着脱自在に接続されていることを特徴とする請求項９〜１４のいずれか１項に記載の洗滌ブラシユニット。
【請求項１６】
内視鏡の管路に自動的に挿抜されて前記管路を洗滌する、細長のシャフトの先端に設けられるブラシ部が収容自在なブラシ部収容室を具備し、
前記ブラシ部は、前記シャフトの前記先端に設けられたシャフト係合部に対し係脱自在なブラシ係止部を有することを特徴とするブラシ部収容ユニット。
【請求項１７】
前記ブラシ部収容室は、連通口が形成された室内方向に突出する内向フランジ部を有し、
前記ブラシ部は、前記内向フランジ部に対し当接し、前記ブラシ部が前記連通口から飛び出すのを防止する、前記連通口に対し平面的に幅広なストッパ部材を有していることを特徴とする請求項１６に記載のブラシ部収容ユニット。
【請求項１８】
前記ブラシ部収容室は、複数設けられており、複数の前記ブラシ部収容室に、前記ブラシ部がそれぞれ収容自在であることを特徴とする請求項１６または１７に記載のブラシ部収容ユニット。
【発明の詳細な説明】
【技術分野】
【０００１】
本発明は、細長のシャフト及び該シャフトの先端に設けられたブラシ部を、装置本体の洗滌消毒槽に収容された内視鏡の管路に自動的に挿抜して前記管路を洗滌する内視鏡洗滌消毒装置、洗滌ブラシユニット、ブラシ部収容ユニットに関する。
【背景技術】
【０００２】
体腔内の検査や治療の目的に使用される内視鏡は、体腔内に挿入する挿入部の外表面だけでなく、送気送水管路、前方送水管路、吸引管路を兼ねた処置具挿通用管路等の各内視鏡管路にも汚物が付着する。そのため、使用済みの内視鏡は、外表面に限らず、必ず各管路までも洗滌、消毒する必要がある。このため、近年では、内視鏡の各管路までをも自動的に洗滌消毒することができる内視鏡洗滌消毒装置が実用化されている。
【０００３】
また、内視鏡の管路、特に、吸引管路を兼ねた処置具挿通用管路は、内視鏡を用いた検査、処置において採取した体腔内の組織等が通過するため、管路に、内視鏡洗滌消毒装置では除去し難い汚物が付着しやすい。
【０００４】
そこで、使用者は、内視鏡の各管路の洗滌性を高めるため、内視鏡洗滌消毒装置を用いた洗滌消毒に先立って、例えば細長のシャフトの先端にブラシ部が固定された洗滌ブラシを、内視鏡の各管路に対し挿入して擦り洗いを行うことにより、内視鏡の各管路を予備洗滌し、各管路に付着した汚物を除去することを一般に行っている。
【０００５】
しかしながら、使用者にとって、洗滌ブラシを内視鏡の各管路に挿入し、擦り洗いによる予備洗滌を行うことは大変煩雑であり、内視鏡の洗滌消毒に対する作業時間の増加を招いてしまうといった問題があった。
【０００６】
このような問題に鑑み、特許文献１では、内視鏡洗滌消毒装置を用いた洗滌において、洗滌ブラシを内視鏡の各管路に自動的に挿入し、該挿入した洗滌ブラシを進退駆動することで、容易かつ短時間にて内視鏡の各管路を確実に洗滌することのできる内視鏡洗滌装置が開示されている。
【０００７】
また、特許文献２では、内視鏡洗滌消毒装置を用いた洗滌において、洗滌ブラシに相当する掃除用ブラシを内視鏡の各管路に自動的に挿入することにより、各管路を確実に洗滌することができるとともに、掃除用ブラシを、該掃除用ブラシを駆動する装置に対して着脱自在とすることにより、消耗し易い掃除用ブラシを容易に交換することのできる構成を有する内視鏡の掃除用ブラシ自動挿入装置が開示されている。
【特許文献１】特開２００３−１０１１８号公報
【特許文献２】特開平８−２７５９１７号公報
【発明の開示】
【発明が解決しようとする課題】
【０００８】
ところで、内視鏡洗滌消毒装置を用いて、洗滌ブラシを内視鏡の各管路に自動的に挿入して洗滌を行っていると、上述したように、洗滌ブラシ、特に実際に管路に接触するブラシ部は消耗しやすい。
【０００９】
ここで、特許文献２に示された内視鏡の掃除用ブラシ自動挿入装置では、洗滌ブラシに相当する掃除用ブラシを交換できる構成となっている、即ち、ブラシ部に相当するブラシ毛部及びシャフトに相当する可撓軸の両方を交換できる構成となっているが、シャフトは高価な部品であるため、ブラシ部が消耗する毎にシャフトまで交換すると、作業コストが増大してしまうといった問題があった。よって、ブラシ部のみを容易に交換できる装置が望まれていた。
【００１０】
本発明の目的は、上記事情に鑑みてなされたものであり、内視鏡の各管路を自動的に洗滌消毒する内視鏡洗滌消毒装置において、内視鏡の各管路を洗滌するため自動的に挿入される洗滌ブラシのブラシ部のみを容易かつ安価に交換できる構成を有する内視鏡洗滌消毒装置、洗滌ブラシユニット、ブラシ部収容ユニットを提供するにある。
【課題を解決するための手段】
【００１１】
上記目的を達成するため本発明による内視鏡洗滌消毒装置は、細長のシャフト及び該シャフトの先端に設けられたブラシ部を、装置本体の洗滌消毒槽に収容された内視鏡の管路に自動的に挿抜して前記管路を洗滌する内視鏡洗滌消毒装置であって、前記内視鏡の前記管路の接続口に着脱自在な、流路を有する管路接続ノズルと、前記流路に連通自在なブラシ部収容室を有するとともに、前記ブラシ部収容室に、前記ブラシ部が収容自在なブラシ部収容ユニットと、前記ブラシ部収容室に連通自在なシャフト収容室を有するとともに、前記シャフト収容室に、前記シャフトが収容自在なシャフト収容ユニットと、前記シャフトを前記シャフト収容室から前記内視鏡の前記管路に送り出すとともに、前記シャフトを前記内視鏡の前記管路から前記シャフト収容室に引き戻すシャフト送り戻し機構と、を具備する前記装置本体に設けられた洗滌ブラシユニットを有し、前記シャフト送り戻し機構は、前記ブラシ部収容室において、送り出した前記シャフトの前記先端に設けられたシャフト係合部を、前記ブラシ部に設けられたブラシ部係合部に係止させるとともに、引き戻した前記シャフトの前記シャフト係合部を、前記ブラシ部係合部から離脱させることを特徴とする。
【００１２】
また、上記目的を達成するため本発明による洗滌ブラシユニットは、細長のシャフト及び該シャフトの先端に設けられたブラシ部を、装置本体の洗滌消毒槽に収容された内視鏡の管路に自動的に挿抜して前記管路を洗滌する洗滌ブラシユニットであって、前記内視鏡の前記管路の接続口に着脱自在な、流路を有する管路接続ノズルと、前記流路に連通自在なブラシ部収容室を有するとともに、前記ブラシ部収容室に、前記ブラシ部が収容自在なブラシ部収容ユニットと、前記ブラシ部収容室に連通自在なシャフト収容室を有するとともに、前記シャフト収容室に、前記シャフトが収容自在なシャフト収容ユニットと、前記シャフトを前記シャフト収容室から前記内視鏡の前記管路に送り出すとともに、前記シャフトを前記内視鏡の前記管路から前記シャフト収容室に引き戻すシャフト送り戻し機構と、を具備し、前記シャフト送り戻し機構は、前記ブラシ部収容室において、送り出した前記シャフトの前記先端に設けられたシャフト係合部を、前記ブラシ部に設けられたブラシ部係合部に係止させるとともに、引き戻した前記シャフトの前記シャフト係合部を、前記ブラシ部係合部から離脱させることを特徴とする。
【００１３】
さらに、上記目的を達成するため本発明によるブラシ部収容ユニットは、内視鏡の管路に自動的に挿抜されて前記管路を洗滌する、細長のシャフトの先端に設けられるブラシ部が収容自在なブラシ部収容室を具備し、前記ブラシ部は、前記シャフトの前記先端に設けられたシャフト係合部に対し係脱自在なブラシ係止部を有することを特徴とする。
【発明の効果】
【００１４】
本発明によれば、内視鏡の各管路を自動的に洗滌消毒する内視鏡洗滌消毒装置において、内視鏡の各管路を洗滌するため自動的に挿入される洗滌ブラシのブラシ部のみを容易かつ安価に交換できる構成を有する内視鏡洗滌消毒装置、洗滌ブラシユニット、ブラシ部収容ユニットを提供することができる。
【発明を実施するための最良の形態】
【００１５】
以下、図面を参照して本発明の実施の形態を説明する。  
図１は、本発明の一実施の形態を示す内視鏡洗滌消毒装置を、トップカバーが開成された状態で、洗滌消毒槽に収容される内視鏡保持トレー及び内視鏡とともに示す斜視図、図２は、図１の内視鏡保持トレーに収容された内視鏡が、洗滌消毒槽に収容された状態を、トップカバーが閉成された状態で示す斜視図である。
【００１６】
図１、図２に示すように、内視鏡洗滌消毒装置２は、使用済みの内視鏡２０や処置具等を洗滌、消毒するための装置であり、洗滌消毒装置本体（以下、単に装置本体と称す）３と、その上部に、例えば蝶番４ａを介して開閉自在に接続されたトップカバー４とにより主要部が構成されている。
【００１７】
また、装置本体３の上部に、上方に開口する内視鏡収容口をトップカバー４によって開閉される所定の深さを有する洗滌消毒槽５が形成されている。尚、洗滌消毒槽５には、内視鏡２０及び内視鏡保持トレー１０（以下、単にトレーと称す）が収容自在である。
【００１８】
さらに、装置本体３の上部の洗滌消毒槽５を囲む位置に、装置本体３に対しトップカバー４が閉成された際、装置本体３とトップカバー４との間を水密に保つパッキン５ａ（図２参照）が配設されている。
【００１９】
また、装置本体３の、例えば操作者が近接する側の前面に、装置本体３の洗滌、消毒動作スタートスイッチ、洗滌、消毒モード選択スイッチ等の各種入力操作スイッチ、及び洗滌消毒時間、動作異常警告等の表示が行われる操作パネル８が配設されている。尚、操作パネル８の位置は、装置本体３上であれば、この位置に限定されない。
【００２０】
トップカバー４は、硬質で光透過性を有する樹脂部材、所謂、透明樹脂部材または半透明樹脂部材から形成されている。従って、洗滌消毒槽５の内視鏡収容口がトップカバー４により閉成された状態においても、該トップカバー４を通して洗滌消毒槽５内が目視観察できるようになっている。
【００２１】
装置本体３の洗滌消毒槽５の所定位置、例えば操作パネル８が配設された操作者近接側の位置に、トレー１０が装脱自在な保持部６ａを有するトレー保持部材６が配設されている。
【００２２】
トレー保持部材６は、トレー１０を装脱する斜め上方に指向した装脱位置と、トレー１０を洗滌消毒槽５内に収容する洗滌消毒槽５の底面５ｔに平行な収容位置とに、例えば回動ピンにより回動自在な構成を有している。
【００２３】
洗滌消毒槽５の底面５ｔの所定位置、例えば蝶番４ａが配設された操作者離間側の位置に、第１開閉突起７ａが設けられており、また、第１開閉突起７ａの近傍に、給水口１６ｃが設けられている。さらに、底面５ｔの略中央に、第２開閉突起７ｂが設けられており、また、第２開閉突起７ｂの近傍に、排水口１７ｃが設けられている。
【００２４】
第１開閉突起７ａは、洗滌消毒槽５内にトレー１０が収容された際、トレー１０の蓋部材１６ａを押圧して開成させるものであり、第２開閉突起７ｂは、トレー１０の蓋部材１７ａを押圧して開成させるものである。
【００２５】
給水口１６ｃは、洗滌消毒槽５内に、洗滌液、消毒液、濯ぎ水等を供給するものであり、排水口１７ｃは、洗滌消毒槽５内の洗滌液、消毒液、濯ぎ水等を、洗滌消毒槽５から排出するものである。
【００２６】
洗滌消毒槽５の、例えば操作者離間側の外周に、流体供給ユニット５０と、洗滌ブラシユニット８５とが配設されている。尚、装置本体３の上面には、洗滌ブラシユニット８５の一部が、装置本体３の上面から露呈しないよう覆う開閉自在な洗滌ブラシユニットカバー８３が設けられている。
【００２７】
流体供給ユニット５０は、内視鏡２０の送気管路、送水管路に、洗滌液、消毒液等の流体を供給するためのものであり、洗滌ブラシユニット８５は、内視鏡２０の処置具挿通管路４３（図４参照）に、洗滌液、消毒液等の流体を供給するとともに、後述する洗滌ブラシ１００（図６参照）を挿入するためのものである。尚、洗滌ブラシユニット８５の詳しい構成については、後に説明する。
【００２８】
流体供給ユニット５０は、送気管路洗滌用ノズル３１と送水管路洗滌用ノズル３２とを、洗滌消毒槽５に臨む側に有しており、送気管路洗滌用ノズル３１及び送水管路洗滌用ノズル３２は、図示しない進退機構により、洗滌消毒槽５の側面５ｓから該側面５ｓに対し直交する方向（以下、進退方向と称す）Ａに、離間（突出）して移動するまたは近接して移動して、内視鏡２０の後述する管路用装着部２３の送気送水口金２３ａに、それぞれ接続自在である。
【００２９】
また、洗滌ブラシユニット８５は、装置本体３に着脱自在に配設されている。洗滌ブラシユニット８５は、管路接続ノズルである処置具挿通管路洗滌用ノズル（以下、単にノズルと称す）３３を、洗滌消毒槽５に臨む側に有しており、ノズル３３は、後述する進退機構９０、９１（図３参照）により、洗滌消毒槽５の側面５ｓから進退方向Ａに、離間（突出）して移動するまたは近接して移動して、内視鏡２０の後述する処置具用装着部２４の処置具挿通管路口金（以下、単に口金と称す）２４ａに接続自在である。尚、ノズル３３の先端側の外周と、洗滌消毒槽５に形成された開口との間には、後述する図３、図４に示すように、Ｏリング等のシール部材３５が嵌合されている。
【００３０】
装置本体３の洗滌消毒槽５に配設されたトレー保持部材６の保持部６ａに、使用後の内視鏡２０等が収容されるトレー１０が装脱自在となっている。
【００３１】
トレー１０に収容、脱却自在な内視鏡２０は、操作部２１と、該操作部２１に連設された可撓性を有する挿入部２２とを有して主要部が構成されている。また、操作部２１及び挿入部２２の内部に、挿入部２２の先端面に配設された図示しない対物レンズの表面に、対物レンズに対向する開口から水等を送水するための図示しない送水管路と、挿入部２２の先端面に配設された対物レンズの表面に、対物レンズに対向する開口からエア等を送気するための図示しない送気管路とが配設されている。尚、操作部２１及び挿入部２２の内部に、挿入部２２の先端から前方に水等の流体を送水する前方送水管路が配設されていてもよい。
【００３２】
さらに、操作部２１及び挿入部２２の内部に、挿入部２２の先端の開口から処置具を突出させるための、組織等を吸引する吸引管路を兼ねた処置具挿通管路４３（図４参照）が配設されている。
【００３３】
操作部２１に、例えば円筒状の管路用装着部２３及び処置具用装着部２４が、操作部２１の長手方向の挿入部２２と反対の基端側に向かって斜めに操作部２１から突出してそれぞれ配設されている。尚、管路用装着部２３と処置具用装着部２４とは、操作部２１の長手方向に沿ってそれぞれ離間して配設されている。
【００３４】
管路用装着部２３に、送水管路、送気管路の操作部２１側の各開口を有する送気送水口金２３ａが、先端面から突出して配設されている。管路用装着部２３に流体供給ユニット５０が装着された際、送気送水口金２３ａに、送気管路洗滌用ノズル３１と送水管路洗滌用ノズル３２とがそれぞれ接続される。
【００３５】
処置具用装着部２４に、処置具挿通管路４３（図４参照）の操作部２１側の開口を有する接続口である口金２４ａが、先端面から突出して配設されている。処置具用装着部２４に洗滌ブラシユニット８５が装着された際、口金２４ａに、ノズル３３が接続される。
【００３６】
尚、操作部２１に、管路用装着部２３及び処置具用装着部２４が配設されておらず、口金２３ａ、２４ａが、操作部２１に直接、配設されていてもよい。
【００３７】
トレー１０の上面に、内視鏡２０を所定の位置に収容配置させる収容凹部１１が設けられている。収容凹部１１は、収容される内視鏡２０の操作部２１及び挿入部２２の外形形状、及び長さ寸法等を考慮して所定形状に形成されたものであり、操作部２１が配設される操作部収容部１２と、挿入部２２が配設される挿入部収容部１３とにより構成されている。
【００３８】
従って、操作部２１及び挿入部２２の外形形状、及び長さ寸法の異なる、複数種類の内視鏡２０を使用する場合は、各種類の内視鏡２０に対応する複数のトレー１０が用意される。
【００３９】
収容凹部１１に収容された内視鏡２０の管路用装着部２３及び処置具用装着部２４が収容される管路用受け部１４、処置具用受け部１５が、操作部収容部１２に設けられている。
【００４０】
管路用受け部１４に、送気管路洗滌用ノズル３１と送水管路洗滌用ノズル３２との進退方向Ａの先端側が挿通される開口１４ａが形成されており、処置具用受け部１５に、ノズル３３の進退方向Ａの先端側が挿通される開口１５ａが形成されている。
【００４１】
操作部収容部１２の底面の所定位置に、洗滌水や消毒水等を給排水するための第１給排水口１６が形成されている。尚、第１給排水口１６は、収容凹部１１に内視鏡２０が収容された際、内視鏡２０の操作部２１の基端側近傍に位置されるとともに、トレー１０が洗滌消毒槽５に収容された際、給水口１６ｃの近傍に位置されるよう形成されている。
【００４２】
また、挿入部収容部１３の底面の所定位置に、洗滌水や消毒水等を給排水するための第２給排水口１７が形成されている。尚、第２給排水口１７は、収容凹部１１に内視鏡２０が収容された際、内視鏡２０の挿入部２２の先端近傍に位置されるとともに、トレー１０が洗滌消毒槽５に収容された際、排水口１７ｃの近傍に位置されるよう形成されている。
【００４３】
さらに、それぞれの給排水口１６、１７に、開閉自在な蓋部材１６ａ、１７ａが設けられている。蓋部材１６ａ、１７ａは、自重または該自重に加えて図示しない付勢部材の付勢力によって、給排水口１６、１７が常時、閉成状態に保持される構成となっている。
【００４４】
したがって、使用済みの内視鏡２０が収容凹部１１に収容された際、内視鏡２０に付着している汚物や体液等が、給排水口１６、１７から漏出されることが防止される。このため、内視鏡２０がトレー１０の収容凹部１１内に収容された状態において、内視鏡２０の運搬が衛生的に行える。
【００４５】
トレー１０の、図２中長手方向に直交する方向の一側に、取り付け部１８が形成されている。取り付け部１８は、トレー１０が装置本体３の洗滌消毒槽５に収容される際、洗滌消毒槽５に配設されたトレー保持部材６の保持部６ａに嵌入されるものであり、保持部６ａの内部形状に合わせて、例えばＵ字状に形成されている。
【００４６】
トレー１０の、図２中長手方向の両側部に、搬送用把持部１９が形成されている。搬送用把持部１９は、内視鏡２０が収容されたトレー１０が運搬されるに際し把持されるものであり、トレー１０の下面側に突出するよう形成されている。このため、トレー１０が洗滌消毒槽５に収容された後、搬送用把持部１９がトップカバー４と干渉することがない。
【００４７】
次に、上述した洗滌ブラシユニット８５の構成について、図３〜図６を用いて説明する。図３は、図２の洗滌ブラシユニットの構成の概略を、洗滌消毒槽の一部と内視鏡の操作部の一部とともに示す斜視図、図４は、図３中のＩＶ−ＩＶ線に沿う断面図、図５は、図３のブラシ部収容ユニットの正面図、図６は、図４の洗滌ブラシを構成するブラシ部とシャフトの一部を示す斜視図である。
【００４８】
洗滌ブラシユニット８５は、上述したように、洗滌消毒装置２の装置本体３に対して着脱自在であり、図３、図４に示すように、細長であって管状のノズル３３と、該ノズル３３の中途位置に配設されたブラシ部収容ユニットであるブラシチップカートリッジ６０と、シャフト収容ユニットであるブラシカセット７０とにより主要部が構成されている。
【００４９】
ノズル３３は、内部に、後述する洗滌ブラシ１００及び洗滌液等の流体が通過する流路３３ｒを有し、ノズル３３が、内視鏡２０の処置具用装着部２４の口金２４ａに接続された際、流路３３ｒは、内視鏡２０の内部の処置具挿通管路４３と連通し、該処置具挿通管路４３に、洗滌ブラシ１００及び洗滌液等の流体を供給する。
【００５０】
また、ノズル３３の先端側の外周は、図３、図４に示すように、Ｏリング等のシール部材３５を介して、洗滌消毒槽５に形成された開口に対し、進退方向Ａに、移動自在に嵌合されている。
【００５１】
さらに、ノズル３３の後半部は、図３に示すように、台座８８から上方に延出する支柱８８ｓにより支持されている。また、ノズル３３の中途位置には、図３に示すように、平面的にコの字に形成されたクランク部３３ｋが形成されており、該クランク部３３ｋにより形成された間隙に、進退方向Ａに対し所定の厚さを有する円板状のブラシチップカートリッジ６０が、図３に示すように、平面的にオーバラップするよう配設されている。
【００５２】
ブラシチップカートリッジ６０は、洗滌消毒槽５の側面５ｓの裏面５ｒから、Ｌ字状に上方に延出するＬ字支柱８８ｌに支持された回動制御ユニットである回動モータユニット３９のモータ軸３９ｊにより、図３、図５に示すように、回動自在に軸支されており、モータ軸３９ｊに対し着脱自在な、例えばディスポーザブルな部材である。
【００５３】
また、ブラシチップカートリッジ６０は、回動モータユニット３９により、台座８８の上方において、クランク部３３ｋの間隙に、一部が平面的にオーバラップするように回動される。
【００５４】
さらに、ブラシチップカートリッジ６０は、図３、図５に示すように、例えば平面的な形状が円形の複数のブラシ部収容室（以下、単に収容室と称す）６１が、所定の間隔を有して周状にブラシチップカートリッジ６０を進退方向Ａに貫通されてそれぞれ形成された、所謂リボルバ形状を有している。
【００５５】
尚、図５においては、収容室６１が、ブラシチップカートリッジ６０に１６個形成された場合を示しているが、１６個に限定されないことは勿論である。また、収容室６１の平面的な形状が円形に限定されないことも云うまでもない。
【００５６】
ブラシチップカートリッジ６０の進退方向Ａの先端面及び後端面の複数の収容室６１の先端側及び後端側の連通口の各外周縁の近傍には、図４、図５に示すように、クランク部３３ｋと当接自在な、例えばＯリング等のシール部材３６がそれぞれ形成されている。
【００５７】
また、ブラシチップカートリッジ６０の進退方向Ａの先端面において、複数の収容室６１の先端側の各連通口の近傍には、図５に示すように、収容室６１毎に位置決め指標６０ｍが形成されている。位置決め指標６０ｍは、後述する回動位置決めセンサ３４により検知される指標である。
【００５８】
収容室６１は、進退方向Ａの先端側及び後端側に連通口を有している。尚、後端側の連通口６１ｋは、図４に示すように、室内方向に突出する内向フランジ部６１ｆにより形成されている。
【００５９】
また、収容室６１の内向フランジ部６１ｆ近傍及び進退方向Ａの先端側にも、進退方向Ａに対して薄肉な、例えば弾性部材から構成された内向フランジ部６１ｂがそれぞれ形成されている。
【００６０】
複数の収容室６１の内、いずれか１つの収容室６１は、ブラシチップカートリッジ６０が回動されることにより、ブラシチップカートリッジ６０の一部がクランク部３３ｋの間隙に平面的にオーバラップすることから、ノズル３３の流路３３ｒ及びブラシカセット７０の後述するシャフト収容室（以下、単に収容室と称す）７０ｓと連通する。
【００６１】
尚、いずれか１つの収容室６１と、ノズル３３の流路３３ｒ及び収容室７０ｓとの連通は、ブラシチップカートリッジ６０の先端面の外周近傍に設けられた回動モータユニット３９の回動位置決めセンサ３４が、回動モータユニット３９により回動するブラシチップカートリッジ６０の先端面において、収容室６１毎に設けられた位置決め指標６０ｍを検知して行う。
【００６２】
また、回動モータユニット３９は、後述するが、ブラシ部１０１が、いずれか１つの収容室６１に収容された後、ブラシ部１０１が収容された収容室６１に平面的に隣り合う収容室６１が、ノズル３３の流路３３ｒ及び収容室７０ｓと連通するよう、位置決め指標６０ｍと、回動位置決めセンサ３４とを用いて、ブラシチップカートリッジ６０を回動させる。
【００６３】
収容室６１には、図４に示すように、洗滌ブラシ１００のブラシ部１０１が収容される。ブラシ部１０１は、処置具挿通管路４３を擦り洗いするための芯材１０１ｊに対し巻回された毛部１０１ｈを有しており、芯材１０１ｊの進退方向Ａの先端には、図４、図６に示すように、処置具挿通管路４３を破損することがないよう、球状の保護部材１０１ｇが取り付けられている。尚、保護部材１０１ｇは、芯材１０１ｊと一体的に形成されていても構わない。
【００６４】
また、ブラシ部１０１の芯材１０１ｊの進退方向Ａの後端には、図４、図６に示すように、洗滌ブラシ１００の後述するシャフト１０２の先端に設けられたシャフト係合部１０２ｋに係脱自在な、弾性部材からなる円錐状のブラシ部係合部（以下、単に係合部と称す）１０１ｋが取り付けられている。尚、係合部１０１ｋは、芯材１０１ｊと一体的に形成されていても構わない。
【００６５】
さらに、図４、図６に示すように、ブラシ部１０１の毛部１０１ｈと係合部１０１ｋとの間に、連通口６１ｋに対し平面的に幅広な円板状のストッパ部材１０１ｓが、芯材１０１ｊに対し取り付けられている。尚、ストッパ部材１０１ｓも芯材１０１ｊと一体的に形成されていても構わない。
【００６６】
ストッパ部材１０１ｓは、内向フランジ部６１ｆに当接することにより、ブラシ部１０１が、収容室６１から後端側の連通口６１ｋを介して収容室６１へと飛び出すのを防止する。具体的には、ブラシ部１０１が、ノズル３３の基端側に接続されるブラシカセット７０側に収容されてしまうのを防止する。
【００６７】
また、図３、図４に示すように、ノズル３３の進退方向Ａの後端部に対し、台座８８の支柱８８ｓに支持されたブラシカセット７０が、着脱自在に接続されている。尚、ブラシカセット７０は、例えばディスポーザブルな部材である。
【００６８】
ブラシカセット７０の収容室７０ｓには、図４、図６に示すように、洗滌ブラシ１００の細長なシャフト１０２が、巻回されて配設されている。尚、シャフト１０２の先端には、ブラシ部１０１の円錐状の係合部１０１ｋの係合面１０１ｍと係脱自在な、爪部１０２ｔを有する、弾性部材からなるシャフト係合部（以下、単に係合部と称す）１０２ｋが設けられている。尚、係合部１０２ｋは、シャフト１０２と一体的に設けられていてもよい。
【００６９】
また、収容室７０ｓは、ブラシチップカートリッジ６０のいずれか１つの収容室６１と連通自在である。よって、ノズル３３の流路３３ｒとも連通自在である。
【００７０】
また、ブラシカセット７０には、収容室７０ｓに連通する洗滌消毒液供給口７１が設けられている。洗滌消毒液供給口７１が図示しない洗滌液供給源または消毒液供給源等と接続されることにより、収容室７０ｓに洗滌液、消毒液等が供給される。
【００７１】
さらに、ブラシカセット７０に対し、図４に示すように、収容室７０ｓに収容されたシャフト１０２を、連通するいずれか１つの収容室６１、ノズル３３の流路３３ｒ、内視鏡２０の処置具挿通管路４３に対し送り出すとともに、送り出したシャフト１０２を収容室７０ｓに引き戻すシャフト送り戻し機構であるブラシ送り戻しローラ７２と、該ローラ７２を回転させるシャフト送り戻し機構であるブラシ送り戻しモータ７３とが接続される。
【００７２】
また、ブラシ送り戻しローラ７２及びブラシ送り戻しモータ７３は、シャフト１０２を、連通するいずれか１つの収容室６１に対し送り出すことにより、シャフト１０２の係合部１０２ｋを、収容室６１に収容されたブラシ部１０１の係合部１０１ｋに係止させる、または、送り出したシャフト１０２を引き戻すことにより、係止している係合部１０２ｋを、係合部１０１ｋから離脱させる。
【００７３】
ブラシカセット７０の内部には、連通孔が形成された内向フランジ形状を有するブラシガイド７４が形成されている。ブラシガイド７４は、収容室７０ｓからシャフト１０２を送り出した際、連通孔により、収容室６１に収容されたブラシ部１０１の係合部１０１ｋに対し、シャフト１０２の係合部１０２ｋが係止するようガイドする。
【００７４】
また、送り出されたシャフト１０２の進退位置、即ち、シャフト１０２の先端に係止されたブラシ部１０１の進退位置は、図４に示すように、ノズル３３の進退方向Ａの先端側に設けられた先端側位置検知センサ３７と、後端側に設けられた後端側位置検知センサ３８とにより検知されて位置制御される。
【００７５】
詳しくは、先端側位置検知センサ３７は、洗滌ブラシ１００が、処置具挿通管路４３内に挿入されて、擦り洗いを行うため進退駆動された際、進退方向Ａにおけるブラシ部１０１の後退限度位置を位置決めする。
【００７６】
また、後端側位置検知センサ３８は、シャフト１０２が、係合部１０２ｋが係合部１０１ｋから離脱される位置に引き戻された際の進退方向Ａの引き戻し限度位置を位置決めする。即ち、係合部１０２ｋが、ブラシカセット７０の収容室７０ｓに進入してしまうことを防止する。
【００７７】
台座８８には、図３に示すように、ノズル３３を、進退方向Ａに対し、進退させる進退機構を構成する進退モータ９０とガイド部材９１とが配設されている。
【００７８】
ガイド部材９１は、ノズル３３の進退方向Ａの基端側の底面に固定された、例えば進退方向Ａに延在する角柱部材であり、進退モータ９０のギアがガイド部材９１の側面に対し当接することにより、ガイド部材９１に固定されたノズル３３は進退方向Ａに進退する。
【００７９】
即ち、進退モータ９０とガイド部材９１により、ノズル３３は、内視鏡２０の処置具用装着部２４の口金２４ａに対し着脱される。尚、進退モータ９０とガイド部材９１とは、ノズル３３と同時に、流体供給ユニット５０（図２参照）の送気管路洗滌用ノズル３１と送水管路洗滌用ノズル３２とを進退方向Ａに対し進退させ、各ノズル３１、３２を、内視鏡２０の管路用装着部２３の送気送水口金２３ａに対しそれぞれ着脱させてもよい。
【００８０】
次に、このように構成された内視鏡洗滌消毒装置２の作用について、上述した図１〜図６、及び図７〜図１１を用いて説明する。
【００８１】
図７は、図４のシャフトの先端のシャフト係合部が、ブラシ部のブラシ部係合部に係合した状態の洗滌ブラシユニットを、洗滌消毒槽及び内視鏡操作部の一部とともに示す断面図、図８は、図７のシャフト係合部とブラシ係合部との係合状態を拡大して示す拡大断面図、図９は、シャフトとブラシ部とが係合した洗滌ブラシの状態で、洗滌ブラシが処置具挿通管路に送り出された状態の洗滌ブラシユニットを、洗滌消毒槽及び内視鏡操作部の一部とともに示す断面図である。
【００８２】
また、図１０は、処置具挿通管路から、洗滌ブラシを処置具挿通管路洗滌用ノズルの流路に引き戻された状態の洗滌ブラシユニットを、洗滌消毒槽及び内視鏡操作部の一部とともに示す断面図、図１１は、シャフトがブラシ部から離脱した状態の洗滌ブラシユニットを、洗滌消毒槽及び内視鏡操作部の一部とともに示す断面図である。
【００８３】
先ず、使用後の内視鏡２０が、上述したようにトレー１０の収容凹部１１に収容配置される。詳しくは、挿入部２２が、挿入部収容部１３に収容されて配置され、操作部２１の管路用装着部２３の先端側が、管路用受け部１４の開口１４ａに挿入され、処置具用装着部２４の先端側が、処置具用受け部１５の開口１５ａに挿入された結果、管路用装着部２３及び処置具用装着部２４が、操作部収容部１２の所定の位置に位置決めされて配置される。
【００８４】
内視鏡２０が収容凹部１１に収容された後、トレー１０は、図１の二点鎖線に示すように装脱位置に位置するトレー保持部材６に係止される。この際、トレー１０の取り付け部１８が、トレー保持部材６の保持部６ａに嵌入され、その後、トレー保持部材６が、装脱位置から手動または自動で、洗滌消毒槽５への収容位置に回動されることにより、トレー保持部材６の回動に伴って、該トレー保持部材６に配置されたトレー１０が、図２に示すように、洗滌消毒槽５内の所定位置に収容される。
【００８５】
この際、洗滌消毒槽５に収容されたトレー１０により、管路用装着部２３の位置が、流体供給ユニット５０に対向するよう規定され、処置具用装着部２４の位置が、洗滌ブラシユニット８５に対向するよう規定される。
【００８６】
その後、洗滌消毒槽５の底面５ｔに突設されている第１開閉突起７ａにより、蓋部材１６ａが押し上げられて、第１給排水口１６が開成されるとともに、第２開閉突起７ｂにより、蓋部材１７ａが押し上げられて、第２給排水口１７が開成される。
【００８７】
その後、トップカバー４が手動または自動で閉成方向に移動されて、図２に示すように洗滌消毒槽５の内視鏡収容口が閉成される。尚、この際、装置本体３の上面に設けられたパッキン５ａにより、トップカバー４と装置本体３とが水密に保たれる。よって、洗滌消毒中において、洗滌消毒槽５内の液体が、装置本体３の外部に飛散されることがない。
【００８８】
その後、例えば、進退モータ９０とガイド部材９１とが、流体供給ユニット５０の進退機構と、洗滌ブラシユニット８５の進退機構とを兼ねている場合は、進退モータ９０とガイド部材９１とにより、図３、図４に示すように、ノズル３３が進退方向Ａにおいて先端側に移動されて、ノズル３３が内視鏡２０の処置具用装着部２４の口金２４ａに対し接続される。
【００８９】
このことと同時に、進退モータ９０とガイド部材９１とにより、送気管路洗滌用ノズル３１と送水管路洗滌用ノズル３２とが、進退方向Ａの先端側に移動されて、送気管路洗滌用ノズル３１と送水管路洗滌用ノズル３２とが、内視鏡２０の管路用装着部２３の送気送水口金２３ａに対しそれぞれ接続される。
【００９０】
次いで、回動モータユニット３９が動作されてブラシチップカートリッジ６０が回動され、その後、指標６０ｍが回動位置決めセンサ３４によって検知されることにより、ブラシチップカートリッジ６０に複数形成された収容室６１のいずれか１つが、ノズル３３の流路３３ｒ及び収容室７０ｓに連通される。
【００９１】
その後、ブラシ送り戻しローラ７２とブラシ送り戻しモータ７３とが駆動されることにより、洗滌ブラシ１００のシャフト１０２が、ブラシカセット７０の収容室７０ｓから送り出され、ブラシガイド７４のガイドにより、図７に示すように、シャフト１０２の先端の係合部１０２ｋが、いずれか１つの収容室６１に収容されたブラシ部１０１の係合部１０１ｋに係止される。即ち、シャフト１０２は、ブラシ部１０１に係止される。
【００９２】
この際、図８に示すように、円錐状の係合部１０１ｋの係合面１０１ｍに、係合部１０２ｋの２つの爪部１０２ｔが挟持するよう係止されることにより、係合部１０２ｋが係合部１０１ｋに係止される。
【００９３】
また、係合部１０２ｋと係合部１０１ｋとの係止の際、シャフト１０２により、ブラシ部１０１が、収容室６１の先端側の連通口から押し出されそうになるが、ブラシ部１０１の毛部１０１ｈが、収容室６１の先端側の内向フランジ部６１ｂに当接されることにより、係止前に、ブラシ部１０１が収容室６１の先端側の連通口から押し出されてしまうことが防止される。
【００９４】
係合部１０２ｋが、係合部１０１ｋに係止された後、ブラシ送り戻しローラ７２とブラシ送り戻しモータ７３とがさらに駆動されることにより、シャフト１０２とブラシ部１０１とが係止された洗滌ブラシ１００は、図９に示すように、口金２４ａから処置具挿通管路４３に送り出され挿入される。
【００９５】
その後、ブラシ送り戻しローラ７２とブラシ送り戻しモータ７３とにより、シャフト１０２が進退駆動されることにより、処置具挿通管路４３は、挿入された洗滌ブラシ１００のブラシ部１０１の毛部１０１ｈにより擦り洗いされる。即ち洗滌される。
【００９６】
尚、洗滌ブラシ１００は、内視鏡２０の挿入部２２の先端の処置具挿通管路４３の開口から突出するまで挿入される。即ち、処置具挿通管路４３の先端まで確実に洗滌される。
【００９７】
また、この洗滌の際、洗滌液供給源に洗滌消毒液供給口７１が接続されていることにより、収容室７０ｓ、ブラシ収容室６１、流路３３ｒ、口金２４ａを介して、洗滌液も、処置具挿通管路４３に供給される。尚、供給された洗滌液は、挿入部２２の先端の処置具挿通管路４３の開口から、トレー１０の第２給排水口１７を介して、洗滌消毒槽５の排水口１７ｃから排水される。
【００９８】
また、ノズル３３の先端側に、先端側位置検知センサ３７が設けられていることにより、洗滌の際、洗滌ブラシユニット８５は、図１０に示すように、ブラシ部１０１が、流路３３ｒにおいて、進退方向Ａにおける先端側位置検知センサ３７より後端側に引き戻されることがない。
【００９９】
さらに、処置具挿通管路４３の洗滌と略同時に、ノズル３１、３２により、口金２３ａを介して、内視鏡２０の送水管路、送気管路にも、洗滌液が供給され、各管路が洗滌される。この場合であっても、供給された洗滌液は、挿入部２２の先端の送水管路、送気管路の各開口から、トレー１０の第２給排水口１７を介して、洗滌消毒槽５の排水口１７ｃから排水される。
【０１００】
洗滌後、ブラシ送り戻しローラ７２とブラシ送り戻しモータ７３とにより、シャフト１０２がブラシカセット７０の収容室７０ｓに引き戻されることにより、ブラシ部１０１は、図１０に示すように、処置具挿通管路４３から抜去されて流路３３ｒに引き戻され、その後、図１１に示すように、ブラシ部１０１は、ブラシチップカートリッジ６０の収容室６１に収容される。尚、収容される収容室６１は、ブラシ部１０１を送り出す前と同じ収容室６１である。
【０１０１】
この際、ブラシ送り戻しローラ７２とブラシ送り戻しモータ７３が駆動し続けられ、シャフト１０２が引き戻し続けられたとしても、ブラシ部１０１のストッパ部１０３が、収容室６１の内向フランジ部６１ｆに当接されるため、ブラシ部１０１が、収容室６１の後端側の連通口６１ｋから、収容室７０ｓ側に飛び出してしまうことがない。
【０１０２】
また、シャフト１０２が引き戻し続けられることにより、ストッパ部１０３が内向フランジ部６１ｆに当接された際、係合部１０２ｋが、係合部１０１ｋから離脱される。
【０１０３】
係合部１０２ｋは、離脱後、収容室７０ｓ側に引き戻されるが、シャフト１０２は、後端側位置検知センサ３８により、係合部１０２ｋが、後端側位置検知センサ３８より進退方向Ａにおいて後端側に引き戻されることがない。即ち、離脱後の係合部１０２ｋが、収容室７０ｓに収容されてしまうことがない。
【０１０４】
収容室６１にブラシ部１０１が収容された後、回動モータユニット３９が動作されブラシチップカートリッジ６０が回動され、指標６０ｍが回動位置決めセンサ３４によって検知されることにより、ブラシ部１０１が収容された直後の収容室６１に平面的に隣り合う収容室６１が、ノズル３３の流路３３ｒ及び収容室７０ｓに連通される。
【０１０５】
尚、係合部１０２ｋと係合部１０１ｋとの係止、洗滌ブラシ１００の処置具挿通管路４３への挿入、係合部１０２ｋと係合部１０１ｋとの離脱、ブラシチップカートリッジ６０の回動は、ブラシチップカートリッジ６０に収容室６１が１６個形成されている場合、１６回繰り返される。即ち、１つのブラシチップカートリッジ６０にて、１６個の内視鏡２０の各処置具挿通管路４３を、毎回新しい洗滌ブラシ１００のブラシ部１０１で擦り洗いすることができる。
【０１０６】
１６個の収容室６１にそれぞれ収容されている１６個のブラシ部１０１を全て使い終わった後、ブラシチップカートリッジ６０は洗滌ブラシユニット８５、具体的には、モータ軸３９ｊから脱却された後、廃棄される。
【０１０７】
尚、１６個のブラシ部１０１が全て使い終えられたかどうかは、回動位置決めセンサ３４により、１６回検知されたかが検出されればよい。尚、１６回検出後、使用者に、ブラシチップカートリッジ６０の交換を認識させる警告音等が発されてもよい。また、１６個のブラシ部１０１及びブラシ収容室６１は、洗滌後、再度処置具挿通管路４３の洗滌に用いられても構わない。
【０１０８】
このように、本実施の形態においては、ブラシ部１０１がそれぞれ収容される複数の収容室６１を有するブラシチップカートリッジ６０が回動されることにより、いずれか１つの収容室６１が、ノズル３３の流路３３ｒ及びシャフト１０２が収容されるブラシカセット７０の収容室７０ｓに連通され、連通された収容室６１に収容されたブラシ部１０１の係合部１０１ｋに対して、収容室７０ｓから送り出される、または引き戻されるシャフト１０２の先端の係合部１０２ｋが係脱自在な構成とした。
【０１０９】
このことによれば、高価なシャフト１０２を交換することなく、ブラシ部１０１のみを交換することができることから、容易な構成にて、ブラシ部１０１のみを安価に交換することができる。
【０１１０】
さらに、本実施の形態においては、ブラシチップカートリッジ６０は、ノズル３３に対し、着脱自在であると示した。
【０１１１】
このことによれば、ブラシチップカートリッジ６０の複数の収容室６１にそれぞれ収容されたブラシ部１０１を全て使用した後、ブラシチップカートリッジ６０を交換するのみで、容易に、使用後のブラシ部１０１を廃棄できるとともに、新しいブラシ部１０１を洗滌ブラシユニット８５にセットすることができる。
【０１１２】
また、本実施の形態においては、ブラシ部１０１は、進退方向Ａの後端側に、ストッパ部材１０１ｓを有していると示した。
【０１１３】
このことによれば、ブラシ送りローラ７２、モータ７３により、収容室７０ｓにシャフト１０２が引き戻された際、収容室６１において、ストッパ部材１０１ｓが、内向フランジ部６１ｆに当接され、その後、係合部１０１ｋから係合部１０２ｋが離脱されることにより、ブラシ部１０１が、後端側の連通口６１ｋから、収容室７０ｓ側に飛び出すことなく、確実に、ブラシ部１０１を収容室６１に収容することができる。
【０１１４】
また、本実施の形態においては、ブラシカセット７０は、ノズル３３に対し、着脱自在であると示した。
【０１１５】
このことによれば、シャフト１０２が消耗した際、後端側位置検知センサ３８をオフにして、収容室７０ｓにシャフト１０２を、係合部１０２ｋまで完全に収容した後、ブラシカセット７０を交換するのみで、容易に、消耗したシャフト１０２を廃棄できるとともに、新しいシャフト１０２を洗滌ブラシユニット８５にセットすることができる。
【０１１６】
尚、以下、変形例を示す。  
本実施の形態においては、洗滌ブラシユニット８５は、洗滌ブラシ１００を、内視鏡２０の処置具挿通管路４３に挿入し、該処置具挿通管路４３を洗滌するために用いると示したが、これに限らず、洗滌ブラシ１００を、内視鏡２０の送水管路または送気管路に挿入し、送水管路または送気管路を洗滌するために用いても構わないということは勿論である。
【０１１７】
また、本実施の形態においては、内視鏡２０は、トレー１０に収容されて、洗滌消毒槽５に収容されると示したが、これに限らず、内視鏡２０は、直接洗滌消毒槽５に収容されても構わない。
【図面の簡単な説明】
【０１１８】
【図１】本発明の一実施の形態を示す内視鏡洗滌消毒装置を、トップカバーが開成された状態で、洗滌消毒槽に収容される内視鏡保持トレー及び内視鏡とともに示す斜視図。
【図２】図１の内視鏡保持トレーに収容された内視鏡が、洗滌消毒槽に収容された状態を、トップカバーが閉成された状態で示す斜視図。
【図３】図２の洗滌ブラシユニットの構成の概略を、洗滌消毒槽の一部と内視鏡の操作部の一部とともに示す斜視図。
【図４】図３中のＩＶ−ＩＶ線に沿う断面図。
【図５】図３のブラシ部収容ユニットの正面図。
【図６】図４の洗滌ブラシを構成するブラシ部とシャフトの一部を示す斜視図。
【図７】図４のシャフトの先端のシャフト係合部が、ブラシ部のブラシ部係合部に係合した状態の洗滌ブラシユニットを、洗滌消毒槽及び内視鏡操作部の一部とともに示す断面図。
【図８】図７のシャフト係合部とブラシ係合部との係合状態を拡大して示す拡大断面図。
【図９】シャフトとブラシ部とが係合した洗滌ブラシの状態で、洗滌ブラシが処置具挿通管路に送り出された状態の洗滌ブラシユニットを、洗滌消毒槽及び内視鏡操作部の一部とともに示す断面図。
【図１０】処置具挿通管路から、洗滌ブラシを処置具挿通管路洗滌用ノズルの流路に引き戻された状態の洗滌ブラシユニットを、洗滌消毒槽及び内視鏡操作部の一部とともに示す断面図。
【図１１】シャフトがブラシ部から離脱した状態の洗滌ブラシユニットを、洗滌消毒槽及び内視鏡操作部の一部とともに示す断面図。
【符号の説明】
【０１１９】
２…内視鏡洗滌消毒装置
３…装置本体
５…洗滌消毒槽
２０…内視鏡
２４ａ…処置具挿通管路口金
３３…処置具挿通管路洗滌用ノズル
３３ｒ…流路
３９…回動モータユニット
４３…処置具挿通管路
６０…ブラシチップカートリッジ
６１…ブラシ部収容室
６１ｆ…内向フランジ部
６１ｋ…後端側の連通口
７０…ブラシカセット
７０ｓ…シャフト収容室
７２…ブラシ送り戻しローラ
７３…ブラシ送り戻しモータ
８５…洗滌ブラシユニット
１０１…ブラシ部
１０１ｋ…ブラシ部係合部
１０１ｓ…ストッパ部材
１０２…シャフト
１０２ｋ…シャフト係合部
【図１】
2007275437.tif 000003
【図２】
2007275437.tif 000004
【図３】
2007275437.tif 000005
【図４】
2007275437.tif 000006
【図５】
2007275437.tif 000007
【図６】
2007275437.tif 000008
【図７】
2007275437.tif 000009
【図８】
2007275437.tif 000010
【図９】
2007275437.tif 000011
【図１０】
2007275437.tif 000012
【図１１】
2007275437.tif 000013